(57)【要約】【課題】ファッション性に優れたアナログ時計および計器、ならびに、動きのある指針のピーク位置を把握し易い計器を提供する。【解決手段】文字盤（目盛盤）（３）上の表面もしくは裏面の指針（２）移動範囲を含む範囲に蓄光機能を有する材料を用いた蓄光層（４）を備え、指針（２）の文字盤（目盛盤）側の面に文字盤（目盛盤）（３）に向かって直接的あるいは間接的に蓄光層（４）を発光せしめることが可能な波長の光を照射する手段（１）を備え、この指針（２）の発する光によって指針（２）が移動した範囲の蓄光層（４）を一定時間発光せしめるようにしたことを特徴とする。【選択図】図１
2004251867.tif 000002
【特許請求の範囲】
【請求項１】
文字盤（目盛盤）（３）に蓄光機能を有する材料を用いた蓄光層（４）を備え、指針（２）の文字盤（目盛盤）側の面に文字盤（目盛盤）（３）に向かって直接的あるいは間接的に蓄光層（４）を発光せしめることが可能な波長の光を照射する手段（１）を備え、指針（２）から照射された光によって蓄光層（４）を一定時間発光せしめることを特徴とするアナログ式時計および計器。
【請求項２】
前記蓄光層（４）は、文字盤（目盛盤）（３）上の指針（２）移動範囲の一部もしくは移動範囲全体を含む範囲に備えることを特徴とする請求項１記載のアナログ式時計および計器。
【請求項３】
前記光を照射する手段（１）の発光範囲は指針（２）の文字盤（目盛盤）側の面の一部または面全体とする請求項１記載のアナログ式時計および計器。
【請求項４】
前記蓄光層（４）を文字盤（目盛盤）（３）の表面（意匠面）もしくは裏面に備え、裏面に備える場合は文字盤（目盛盤）（３）に、前記の光を照射する手段（１）が発する光を透過する材料を用いることを特徴とする請求項１記載のアナログ式時計および計器。
【発明の詳細な説明】
【０００１】
【発明の属する技術分野】
本発明は、文字盤（目盛盤）に設けた蓄光層に指針の移動跡を光跡として発光せしめることによって、アナログ式時計および計器においては意匠のファッション性を向上させ、計器においてはピーク値を読みやすくしたアナログ式時計および計器に関するものである。
【０００２】
【従来の技術】
従来、アナログ式時計においては、夜間の視認性を得るために、文字盤（目盛盤）表面に蓄光層を備え、外部からの光のエネルギーを蓄えて文字と指針、あるいは文字盤（目盛盤）全体を光らせるものがあった。
計器においては、文字盤（目盛盤）裏面に光源を設ける等して、文字と指針、あるいは文字盤（目盛盤）全体を光らせるものがあった。
また、ピーク値を読みやすくした計器としては、ピークホールド用の指針を別途備えたものがあった。
【０００３】
【発明が解決しようとする課題】
これらには、次のような欠点があった。
夜間等における視認性は高いものの、意匠としては既に新しさを感じさせるもではなくなっている。
また、ピークホールド用の指針を備えた計器は機構が複雑になり、コストが高くなっていた。
本発明は、これらの欠点を失くすためになされたものである。
【０００４】
【課題を解決するための手段】
文字盤（目盛盤）（３）上の指針（２）移動範囲を含む範囲に蓄光機能を有する材料を用いた蓄光層（４）を備える。この蓄光層（４）は文字盤（目盛盤）（３）の表面もしくは裏面に備え、裏面に備える場合は文字盤（目盛盤）（３）には指針（２）からの光を透過する材料を用いる。
指針（２）の文字盤（目盛盤）側の面には文字盤（目盛盤）（３）に向かって直接的あるいは間接的に蓄光層（４）を発光せしめることが可能な波長の光を照射する手段（１）を備える。
この指針（２）から照射された光によって蓄光層（４）を一定時間発光せしめるため、指針（２）の移動跡が光の濃淡として蓄光層に残り、表示される。
本発明は以上の構成よりなるアナログ式時計および計器である。
【０００５】
【発明の実施の形態】
以下、本発明の実施の形態について説明する。
図１および図２に本発明の断面図を示す。
図１は指針（２）を文字盤（目盛盤）（３）の意匠面に設置する形態のものであり、図２は指針（２）を文字盤（目盛盤）（３）の裏面に設置し、指針（２）を指針が発する光の透過光によって文字盤（目盛盤）（３）表面に表示する形態のものであり、本発明が、このどちらの形態にも導入可能であることを示している。
【０００６】
文字盤（目盛盤）（３）の指針（２）移動範囲の一部、もしくは全体を含む範囲に蓄光機能を有する材料を用いた蓄光層（４）を備える。
この設置手段には蓄光機能シートを接着する、もしくは蓄光機能塗料を塗装もしくは印刷する、もしくは文字盤（目盛盤）（３）を蓄光機能を有する成型材で成型する等がある。
尚、蓄光機能シート、蓄光機能塗料、蓄光機能成型材等については本発明の範疇ではなく夫々の発明にて詳しく述べられており、既に市販され普及しているためこれらの説明は省く。
この蓄光層（４）は文字盤（目盛盤）（３）の表面（意匠面）もしくは裏面に備え、裏面に備える場合は文字盤（目盛盤）（３）には後述する指針（２）に備える光を照射する手段（１）が発する光を透過する材料を用い、蓄光層（４）に光が届くようにする。
蓄光層（４）の裏側に反射層（５）を設けると、発光をより明るく見せることが可能となる。反射層（５）は、白色塗装や白色印刷、あるいは白色シートの接着等の設置手段がある。
図２の形態においては、反射層（５）に代わって投影層（１３）が文字盤（目盛盤）（３）と蓄光層（４）の間に介在する。
これは、反射層と同様に蓄光層（４）によって照らされることにより、発光をより明るく見せる目的とともに、指針（２）の発する光を投影するスクリーンの働きを兼ねる。このため、投影層（１３）は蓄光層（４）および指針（２）が発する光を透過する半透過性を有する。
【０００７】
指針（２）の文字盤（目盛盤）側の面には文字盤（目盛盤）（３）に向かって間接的あるいは直接的に蓄光層（４）を発光せしめることが可能な波長の光を照射する手段（１）を備える。
この光の発光範囲は指針（２）の一部、例えば先端部のみでもよく、指針形状に沿った面全体でもよい。
スポット的に照射すれば蓄光層（４）に残る光跡は線状となり、線状に照射すれば、蓄光層（４）に残る光跡は面状となる発光意匠が得られる。
文字盤（目盛盤）を照射可能な場合は、指針表面（意匠面）を同じ光源を用いて同時に発光させてもよい。
図１および図２では光を照射する手段（１）として指針（２）の内部にチップ型発光ダイオードを複数備えた例を表している。
この電源は、基板（９）上の配線パターンを通り、スピードナット形状の接点板（１０）によって電気的に２層構造を有する回転軸（１１）にプラス極とマイナス極が各々接続され、摺動接点ブラシ（１２）によって指針（２）の回転運動に関わらず外部の電源に導かれる。
他の手段としては指針（２）の根元底面に摺動接点ブラシを設ける等、様々な方法が考えられる。
また、図１および図２では光源からの光を直接蓄光層（４）に照射する形態としているが、指針（２）に導光、反射機能を持たせ、文字盤（目盛盤）側から指針（２）に光を照射し、間接的に蓄光層（４）を照射するようにしてもよい。
【０００８】
光源には蓄光層（４）のみを発光させられる紫外線光源を用いれば、蓄光を意図しない意匠部が可視光によって照らし出されず理想的な発光意匠を得やすい。
発光ダイオードの場合は紫あるいは紫外線発光ダイオードが適している。発光ダイオード以外の光源として蛍光管やブラックライト等を用いてもよい。無論これらの場合は蓄光層（４）に用いる蓄光機能材料は、特に紫外線域の光によって強く発光する特性のものを用いるのが望ましい。
【０００９】
この指針（２）から照射された光によって蓄光層（４）を一定時間発光せしめるため、指針（２）の移動跡が光の濃淡として残像のように蓄光層（４）に残り、表示される。
これによって観察者は、指針の動きが滑らかに見え、かつ、ピーク値も光跡により読みやすくなる。
アナログ時計においては動きの速い秒針に光を照射する手段を設けることで、新しい意匠の美しさを提供できるようになる。
【００１０】
前面カバー（８）には、外部からの光を文字盤（目盛盤）に届き難くするスモーク処理等を施すことで、比較的明るい場所においても蓄光層（４）の光跡が視認しやすくなる。
また、周囲空間とコストが許す場合は、外部の光を効果的に防ぐため、鏡やコンバイナを用いて文字盤（目盛盤）（４）を外光から遠ざけ、表示部全体を虚像として表示しても良い。
【００１１】
図１および図２では文字盤（目盛盤）（４）上の文字および目盛りは、文字・目盛および遮光部印刷層（６）に描かれており、これを通して指針とは別に備えた照光装置（７）によって裏側から照らし出されるようにしている。
照光装置（７）は図１および図２ではエレクトロルミネッセンスを想定しているが、これ以外の手段を用いても良い。
この様に他の照光手段と組み合わせることによって、文字盤（目盛盤）上の文字および目盛りは、指針の位置に関わらず発光させることが出来、多彩な照光意匠を実現できる。
【００１２】
【発明の効果】
本発明により、指針の移動跡が濃淡のある光跡として文字盤（目盛盤）上に現れるため、意匠として美しく、新しい演出が可能となる。
また、指針の動きを光跡の線や面でも観察できるようになり、ピーク値が光跡によって読みやすくなる。
【図面の簡単な説明】
【図１】本発明の断面図
【図２】同上
【符号の説明】
（１）光を照射する手段
（２）指針
（３）文字盤（目盛盤）
（４）蓄光層
（５）反射層
（６）文字・目盛および遮光部印刷層
（７）照光装置
（８）前面カバー
（９）基板
（１０）接点板
（１１）回転軸
（１２）摺動接点ブラシ
（１３）投影層
【図１】
2004251867.tif 000003
【図２】
2004251867.tif 000004